(57)【要約】【課題】自立性に優れるため、店頭における陳列効果も良好であるとともに、包装袋を折り畳んで段ボール等の内部に集積した場合においてもデッドスペースを生じることのなく、集積効率にも優れた自立型包装袋及び当該包装袋の製造方法を提供すること。【解決手段】単層または多層のフィルムからなる平袋５を角筒状にして矩形状の底面部２０を形成し、当該矩形状の底面部２０の両脇に張り出す三角形状部の底辺部分を接着させ、この三角形状部を切除してなる自立型包装袋１及び当該包装袋の製造方法であり、前記した三角形状部を底面部２０の内側または外側に折り込むようにしてもよい。【選択図】  図１
2005320020.tif 000002
【特許請求の範囲】
【請求項１】
単層または多層のフィルムからなる平袋を角筒状にして矩形状の底面部を形成し、
当該矩形状の底面部の両脇に張り出す三角形状部の底辺に相当する部分を接着し、
当該三角形状部を切除してなることを特徴とする自立型包装袋。
【請求項２】
単層または多層のフィルムからなる平袋を角筒状にして矩形状の底面部を形成し、
当該矩形状の底面部の両脇に張り出す三角形状部を底面部の内側に折り込んでなることを特徴とする自立型包装袋。
【請求項３】
単層または多層のフィルムからなる平袋を角筒状にして矩形状の底面部を形成し、
当該矩形状の底面部の両脇に張り出す三角形状部を底面部の外側に折り込んでなることを特徴とする自立型包装袋。
【請求項４】
請求項２または請求項３に記載の自立型包装袋において、
折り込まれた三角形状部が接着固定されていることを特徴とする自立型包装袋。
【請求項５】
請求項１ないし請求項４のいずれかに記載の自立型包装袋において、
前記平袋が合掌袋であることを特徴とする自立型包装袋。
【請求項６】
単層または多層のフィルムからなる平袋に対して角筒部材を挿入して矩形状の底面部を形成し、
当該矩形状の底面部の両脇に張り出す三角形状部の底辺に相当する部分を接着し、
当該三角形状部を切除してなることを特徴とする自立型包装袋の製造方法。
【請求項７】
単層または多層のフィルムからなる平袋に対して角筒部材を挿入して矩形状の底面部を形成し、
当該矩形状の底面部の両脇に張り出す三角形状部を底面部の内側に折り込んでなることを特徴とする自立型包装袋の製造方法。
【請求項８】
単層または多層のフィルムからなる平袋に対して角筒部材を挿入して矩形状の底面部を形成し、
当該矩形状の底面部の両脇に張り出す三角形状部を底面部の外側に折り込んでなることを特徴とする自立型包装袋の製造方法。
【発明の詳細な説明】
【技術分野】
【０００１】
本発明は、自立型包装袋及び当該包装袋の製造方法に関する。
【背景技術】
【０００２】
液状、顆粒状または粒状物等の各種形態の物品を包装袋に収納した状態で陳列して販売するに際しては、購入者から当該物品が入った包装袋がよく見えるように、店頭において起立した状態で陳列することができれば、購入意欲を増すことができるため効果的である。そして、近年では、このような自立可能な包装袋が広く求められている。
【０００３】
かかる自立可能な包装袋としては、立体容器としての特徴も兼ね備えたパウチ等が一般的に知られており、例えば、フィルムの熱融着層面同士を対面させて配し、底部から２つ折りした底材を挿入して左右の端部をヒートシールしてなる底部ガセットタイプのスタンディングパウチや、熱融着層面同士を対面させて配し、その左右から２つ折りした側面部材を挿入して端部をヒートシールしてなるサイドガセットタイプの自立型包装袋が用いられている（例えば、特許文献１及び特許文献２）。また、いわゆるガゼット袋や、当該ガゼット袋の底部にマチを入れたもの等も用いられている。
【０００４】
このような自立型包装袋の具体例として、スタンディングパウチタイプの自立型包装袋は、片面が熱融着性を有する複合フィルムを用い、前面フィルムと後面フィルムの熱融着面同士を対面させて配するようにして、その底部から２つ折りした底面フィルムを挿入して、その周縁部を熱接着して形成することにより得ることができる。
【０００５】
また、サイドガセットタイプの自立型包装袋は、前記のスタンディングパウチタイプのものと同様に、片面が熱融着性を有するような複合フィルムを用いて、前面のフィルムと後面のフィルムの熱融着面同士を対面させて配するようにして、その左右から２つ折りした側面フィルムを挿入して、その周縁部を熱接着して形成することにより得ることができる。
【０００６】
【特許文献１】特開２０００−２５７８５号公報（［請求項１］，［図１］）
【特許文献２】特開２００３−１９１９６３号公報（［請求項１］，［図１］）
【発明の開示】
【発明が解決しようとする課題】
【０００７】
しかしながら、前記したような従来のスタンディングパウチの自立型包装袋は、自立性は良好であるが、折り畳んで段ボール等のケース内に集積させた場合にあっては、収納効率ないしは集積効率がよくないといった問題が生じており、改善が強く求められていたのが実状である。
【０００８】
また、サイドガセットタイプの自立型包装袋は、段ボール等への集積効率が良い等の長所を有するが、その構造上、底部を折り込んで自立させるために、折り込まれた部位のフィルムが反発してしまい、自立した際に袋がふらついてしまい、安定性に欠けてしまうという問題があった。
【０００９】
従って、本発明の目的は、自立性に優れるため、店頭における陳列効果も良好であるとともに、包装袋を折り畳んで段ボール等の内部に集積した場合においてもデッドスペースを生じることのなく、集積効率にも優れた自立型包装袋及び当該包装袋の製造方法を提供することにある。
【課題を解決するための手段】
【００１０】
前記の課題を解決するために、本発明の第１発明の自立型包装袋は、単層または多層のフィルムからなる平袋を角筒状にして矩形状の底面部を形成し、当該矩形状の底面部の両脇に張り出す三角形状部の底辺に相当する部分を接着し、当該三角形状部を切除してなることを特徴とする。
【００１１】
この本発明によれば、単層または多層のフィルムからなる平袋を角筒状にして矩形状の底面部を形成させ、当該矩形状の底面部の両脇に張り出す三角形状部の底辺に相当する部分を接着させ、当該三角形状部を切除するようにしているので、自立可能な包装袋を簡便な手段で得ることができるとともに、得られた包装袋は、自立性に優れるため、各種物品を包装して店頭に陳列した場合にあっては、購入者の購買意欲を増加させることができるものとなる。
【００１２】
また、かかる自立型包装袋は、折り畳んだ場合にあっても邪魔となる部位が存在しないため、包装袋を折り畳んで集積した場合においても、集積効率にも優れた包装袋を好適に提供することができる。更には、本発明の自立型包装袋は、外観的にも良好であるため、意匠的にも優れた包装袋となる。
【００１３】
本発明の自立型包装袋は、底部を内側にガゼット折りしているので、安定した立体性が確保できるとともに、袋供給型の製袋機に供給する際にも袋をスムースに供給することができる。また、１枚のフィルムを使用して自立型包装袋を製造しているため、全面に図柄を印刷して配置しても、製袋時のデザインずれの発生を防止することができる。そして、本発明の自立型包装袋は、袋のサイドにシール部分がないため、袋に対してソフト感を付与することができる。
【００１４】
本発明の第２発明の自立型包装袋は、単層または多層のフィルムからなる平袋を角筒状にして矩形状の底面部を形成し、当該矩形状の底面部の両脇に張り出す三角形状部を底面部の内側に折り込んでなることを特徴とし、また、本発明の第３発明の自立型包装袋は、単層または多層のフィルムからなる平袋を角筒状にして矩形状の底面部を形成させ、当該矩形状の底面部の両脇に張り出す三角形状部を底面部の外側に折り込んでなることを特徴としており、この第２発明及び第３発明の自立型包装袋によっても、前記した第１発明と同様な効果を奏することができる。
【００１５】
なお、これら第２発明及び第３発明にあっては、折り込まれた三角形状部が接着固定されていることが好ましく、これにより、三角形状部が再び張り出してくることもなく、自立性及び折り畳み性に優れた包装袋を提供可能とする。
【００１６】
また、本発明の自立型包装袋は、前記した平袋が合掌袋であることが好ましい。
かかる本発明によれば、本発明を構成する平袋を合掌袋としているので、合掌袋は平袋として平易な構成であるため、底面部における三角形状部等の加工が容易となり、前記した効果を奏することができる自立型包装袋をより一層効率的に提供可能とする。
更には、合掌袋は汎用品であるため、包装袋の製造におけるコストの大幅な削減を図ることができる。
【００１７】
本発明の自立型包装袋の製造方法は、前記した第１発明ないし第３発明の自立型包装袋を製造すべく、下記の（１）ないし（３）からなることを特徴とするものであり、これらの構成からなる本発明の自立型包装袋の製造方法により得られた自立型包装袋も、前記した第１発明ないし第３発明の奏する効果を好適に享受することができる。
【００１８】
（１）単層または多層のフィルムからなる平袋に対して角筒部材を挿入して矩形状の底面部を形成し、当該矩形状の底面部の両脇に張り出す三角形状部の底辺に相当する部分を接着し、当該三角形状部を切除するようにする。
（２）単層または多層のフィルムからなる平袋に対して角筒部材を挿入して矩形状の底面部を形成し、当該矩形状の底面部の両脇に張り出す三角形状部を底面部の内側に折り込むようにする。
（３）単層または多層のフィルムからなる平袋に対して角筒部材を挿入して矩形状の底面部を形成し、当該矩形状の底面部の両脇に張り出す三角形状部を底面部の外側に折り込むようにする。
【発明を実施するための最良の形態】
【００１９】
［第１実施形態］
以下、本発明の実施の一形態を図面に基づいて説明する。
図１は、本発明の自立型包装袋の一態様を示した図であって、当該包装袋の底面部を上にした状態を示した概略図である。図１中、１は自立型包装袋、１０は開口部、２０は底面部、２１は接着部、をそれぞれ示す。
なお、図１にあっては、自立型包装袋１を構成する平袋５として合掌袋を採用した例を示しており、５１は背貼り部、５２は底貼り部を示す。
【００２０】
本実施形態の自立型包装袋１は、平袋５である合掌袋を角筒状にして矩形状の底面部２０を形成させ、矩形状の底面部２０の両脇に張り出す三角形状部（図１では切除されている）に対して所定の加工を施すことにより得られるものである。
ここで、使用される平袋５は、単層または多層のフィルムからなるものであり、その形態としては、特に制限はないが、例えば、合掌袋、三方袋、カマス袋、サイドウェルダー袋等の従来公知の形態を使用することができる。本発明の自立型包装袋１を構成する平袋については、加工面やコスト面という点において、合掌袋を採用することが好ましい。
【００２１】
また、この平袋５を構成するフィルムは、二軸延伸ポリプロピレン（ＯＰＰ）、未延伸ポリプロピレン（ＣＰＰ）、ポリエチレンテレフタレート（ＰＥＴ）、延伸ナイロン（ＯＮＹ）、直鎖状低密度ポリエチレン（ＬＬＤＰＥ）、低密度ポリエチレン（ＬＤＰＥ）等の熱可塑性樹脂の一種または二種以上からなる単層または積層フィルムとすることができる。
更には、これらの熱可塑性樹脂からなる単層または積層フィルムに対して、アルミニウム箔（アルミ箔）、紙等を積層するようにしてもよい。
【００２２】
そして、これらの平袋５は、前記した平袋の形態に応じて公知の手段により得ることができる。例えば、平袋５の形態として合掌袋を採用する場合にあっては、単層または多層のフィルムを、原反掛け、巻出部、折り装置、脊部シール装置、底シール装置、図柄合わせ光電管装置、カット装置、受け取りコンベア等により構成される製袋機を用いることにより簡便に製造することができる。
【００２３】
ここで、平袋５に対しては、後記する角筒部材を挿入するための開口部１０を形成しておく必要がある一方、この開口部１０に対しては、内容物を収納した後に熱融着等で接着するようにしてもよいし、必要により当該開口部１０に対して従来公知の図示しない咬合具を配設するようにしてもよい。
また、この咬合具としては、図示しない一組の雄型ファスナーと雌型ファスナーの嵌合及び開放により開封及び封止を行う構成のものを使用することができ、これにより、自立型包装袋１に対して開封及び封止機能を簡便に付与することができる。
【００２４】
更には、平袋５の表面に対しては所定の印刷処理を施すようにしてもよく、これにより、自立型包装袋１に対して隠蔽性、装飾性等を付与することができる。
【００２５】
本発明の自立型包装袋１は、平袋５を角筒状にして矩形状の底面部２０を形成させることとするものであるが、かかる矩形状の底面部２０は、平袋５に対して角筒部材を挿入するようにして形成するのが好ましい。
【００２６】
使用される角筒部材としては、平袋に挿入された場合に、矩形状の底面部２０を形成できるものであれば特に制限はなく、矩形状の断面を備えた角筒部材を好適に使用することができるが、例えば、図２に示すような角筒部材３０を使用するようにしてもよい。
【００２７】
図２は、本発明の自立型包装袋１において矩形状の底面部２０を形成するために用いられる角筒部材３０の一例を示した概略図であり、（Ａ）は広げた状態、（Ｂ）は折り畳んだ状態をそれぞれ示している。
図２（Ａ）に示す角筒部材３０は、断面形状が矩形状であるため、平袋５に挿入した場合にあっては、矩形状の底面部２０を形成することができる一方、左側面部３１及び右側面部３２が外方向に折れ曲がることによって折り畳み可能となっている。また、図２（Ｂ）に示されるよう折り畳んだ状態にあっては、その幅が平袋５との幅と略同一になる。
そして、図２に示す角筒部材３０は、折り畳んだ状態（図２（Ｂ））において、先端部が切除されているが、この先端部３３の形状は、平袋の底面部２０の両端に形成される三角形状部と同一の形状となる。
【００２８】
この角筒部材３０を用いて、本実施形態の自立型包装袋１を得るための手順の一例について図３及び図４を用いて説明すると、まず、平袋５の開口部１０に対して、角筒部材３０を図２（Ｂ）のように折り畳んだ状態で挿入した後（図３の（Ａ））、角筒部材を図２（Ａ）のように広げて、その断面が矩形状となるようにする。このようにして角筒部材３０を広げることによって、角筒部材３０の断面形状（矩形状）がそのまま平袋５の底面部２０の形状となり、また、平袋５に対して矩形状の底面部２０が形成されることになる（図３の（Ｂ））。
【００２９】
平袋５に対して矩形状の底面部２０が形成された場合にあっては、図３（Ｂ）に示すように、この底面部２０の両端に対して、略直角二等辺三角形状の三角形状部２２ａ，２２ｂが形成されることになる。本実施形態にあっては、かかる三角形状部２２ａ，２２ｂの底辺部に相当する部分（底辺部分２２１）を構成する２枚のフィルム同士を接着させて接着部２１を形成させるようにする。
【００３０】
ここで、接着手段としては、熱融着（ヒートシール）や、接着剤による接着等が挙げられる。また、一般に延伸ポリプロピレン（ＯＰＰ）フィルムは熱融着が困難であるため、接着しようとする底辺部分に対して感熱性の接着剤をパートコートして、当該底辺部分を接着するようにしてもよい。
【００３１】
そして、このようにして三角形状部２２ａ，２２ｂの底辺部分２２１を接着して接着部２１を形成したら、三角形状部２２ａ，２２ｂを切除して（図４の（Ｃ））角筒部材３０を抜き取ることにより（図４の（Ｄ））、図１に示した本実施形態の自立型包装袋１を得ることができる。
【００３２】
図５は、前記した手段により得られた本実施形態の自立型包装袋１を折り畳んだ状態を示した概略図である。
このように、本実施形態の自立型包装袋１は、底面部２０の端が接着部２１とされているため、折り畳んだ場合にあっても邪魔となる部位が存在せず、複数枚積み重ねた場合における集積効率についても優れた自立型包装袋１となる。
【００３３】
前記のようにして得られる本実施形態の自立型包装袋１によれば、平袋５を角筒状にして矩形状の底面部２０を形成させ、当該矩形状の底面部２０の両脇に張り出す三角形状部２２ａ，２２ｂの底辺部分２２１を接着させ、当該三角形状部２２ａ，２２ｂを切除するようにしているので、自立性に優れ、各種物品を包装して店頭に陳列した場合にあっても、購入者の購買意欲を増加させることができる自立型包装袋１を提供することができる。
【００３４】
また、本発明の自立型包装袋１は、折り畳んで集積した場合にあっては、邪魔になる部位が存在しないため、段ボール等のケース内においてもデッドスペースを生じることのなく、集積効率にも優れた包装袋となる。
【００３５】
本発明の自立型包装袋１は、底部を内側にガゼット折りしているので、安定した立体性が確保できるとともに、袋供給型の製袋機に供給する際にも袋をスムースに供給することができる。また、１枚のフィルムを使用して自立型包装袋１を製造しているため、全面に図柄を印刷して配置しても、製袋時のデザインずれの発生を防止することができる。
【００３６】
そして、本発明の自立型包装袋１は、サイドにシール部分がないため、袋に対してソフト感を付与することができる。
【００３７】
そして、本発明の自立型包装袋１は、外観的にも良好であり、意匠的にも優れるため、お茶、紅茶、コーヒー、乾燥ワカメ、キャラメル、惣菜等の食品全般、日用品、工業用品等の各種物品を収納可能な包装袋となる。
【００３８】
［第２実施形態］
次に、本発明の第２実施形態の自立型包装袋２，３について、図６ないし図９を用いて説明する。図６は、本発明の自立型包装袋の他の態様を示した概略図であり、図７は、本発明の自立型包装袋のもう一つの態様を示した概略図である。
【００３９】
前記した第１実施形態の自立型包装袋１は、平袋５である合掌袋を角筒状にして矩形状の底面部２０を形成して、この矩形状の底面部２０の両脇に張り出す三角形状部２２ａ，２２ｂの底辺部分２２１を接着させた後、三角形状部２２ａ，２２ｂを切除してなるものであった。
一方、本実施形態の自立型包装袋２，３は、前記した三角形状部２２ａ，２２ｂを底面部２０の内側または外側に折り込んでなるものである点で相違する。
なお、本実施形態においては、前記した第１実施形態と同一構造及び同一部材については、同一符号を付すとともに、その説明は省略又は簡略化している。
【００４０】
これら図６または図７の自立型包装袋２，３を得るには、前記した第１実施形態の自立型包装袋１と同様に、まず、平袋５に対して角筒部材を挿入して、平袋に５対して矩形状の底面部２０が形成されるようにする。平袋５に対して矩形状の底面部２０が形成されると、底面部２０の両端に対して三角形状部２２ａ，２２ｂが形成されることになり、この三角形状部２２ａ，２２ｂを内側に折り込むか、または外側に折り込むことにより、自立性に優れた本発明の自立型包装袋２，３を好適に得ることができる。
なお、本発明の自立型包装袋２，３において、「底面部２０の内側に折り込む」とは、例えば図６に示すように、底面部２０の方向、好ましくは三角形状部２２ａ，２２ｂが当該底面部２０接するように折り込むことをいう。また、「底面部２０の外側に折り込む」とは、例えば図７に示すように、底面部２０と連接する側面部２５の方向、好ましくは三角形状部２２ａ，２２ｂが当該側面部２５と接するように折り込むことをいう。
【００４１】
ここで、三角形状部２２ａ，２２ｂを内側に折り込んで図６に示す自立型包装袋２を得る場合にあっては、この三角形状部２２ａ，２２ｂと底面部２０を接着することが好ましく、また、三角形状部２２ａ，２２ｂを外側に折り込んで図７に示す自立型包装袋３を得る場合にあっては、この三角形状部と側面部２５を接着することが好ましい。このようにすることにより、三角形状部２２ａ，２２ｂが再び張り出してくることもなく、自立性及び折り畳み性に優れた包装袋を提供可能となる。接着手段としては、熱融着（ヒートシール）や、接着剤による接着等を用いればよい。
【００４２】
また、図８は、図６に示した自立型包装袋２を折り畳んだ状態を、また、図９は、図７に示した自立型包装袋３を折り畳んだ状態を示す概略図である。
このような本実施形態の自立型包装袋２，３も、段ボール等のケース内において、デッドスペースを生じてしまうこともなく、折り畳んで集積した場合における集積効率にも優れた自立型包装袋２，３となる。
【００４３】
なお、以上説明した態様は、本発明の一態様を示したものであって、本発明は、前記した実施形態に限定されるものではなく、本発明の目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００４４】
例えば、前記した第２実施形態において、図６で示した自立型包装袋２、及び図７で示した自立型包装袋３の三角形状部２２ａ，２２ｂの底辺部分２２１を、図１０及び図１１に示すように接着部２１としてもよい。このように三角形状部２２ａ，２２ｂの底辺部分を接着部２１とすることにより、収納物が粉状物、顆粒物、液状物など形状を保持しにくいものであっても、底面部２０の形状が崩れにくくなるため、より一層自立性に優れた包装体となる。
【００４５】
また、前記した実施形態における図１ないし図９（図２を除く）では、平袋５として合掌袋を使用した例を示したが、これには限定されず、例えば、平袋として三方袋、カマス袋等を使用しても問題はない。
【００４６】
更には、本発明の自立型包装袋を構成する平袋５である合掌袋の背貼り部５１や底貼り部５２には、いわゆる落としを入れるようにしたり、パートコート剤を塗布したり、表面にヒートシール性を備えたフィルムを貼付したりする等により接着性を付与するようにしてもよい。
【００４７】
そして、前記した実施形態では、図２に示す角筒部材３０を用いて自立型包装袋１を得るようにした例を示したが、これには限定されず、断面形状が矩形状であれば角筒部材は任意の形状のものを採用することができる。
その他、本発明の実施における具体的な構造及び形状等は、本発明の目的を達成できる範囲で他の構造等としてもよい。
【産業上の利用可能性】
【００４８】
本発明の自立型包装袋及び当該包装袋の製造方法は、自立性に優れるとともに、折り畳んだ場合における集積効率も良好であるから、お茶、紅茶、コーヒー、乾燥ワカメ、キャラメル、惣菜等の食品全般、日用品、工業用品等の各種物品を収納する包装袋及び当該包装袋の製造方法として広く利用することができる。
【図面の簡単な説明】
【００４９】
【図１】本発明の自立型包装袋の一態様を示した概略図（底面部を上にした状態）である。
【図２】本発明の自立型包装袋を製造するために用いられる角筒部材の一態様を示した概略図である。
【図３】本発明の自立型包装袋を製造する手順を示した概略図である。
【図４】本発明の自立型包装袋を製造する手順を示した概略図である。
【図５】図１に示した自立型包装袋を折り畳んだ状態を示した概略図である。
【図６】本発明の自立型包装袋の他の態様を示した概略図である。
【図７】本発明の自立型包装袋のもう一つの態様を示した概略図である。
【図８】図６の自立型包装袋を折り畳んだ状態を示した概略図である。
【図９】図７の自立型包装袋を折り畳んだ状態を示した概略図である。
【図１０】図６の自立型包装体について、三角形状部の底辺部分をヒートシールした態様を示した概略図である。
【図１１】図７の自立型包装体について、三角形状部の底辺部分をヒートシールした態様を示した概略図である。
【符号の説明】
【００５０】
１，２，３…  自立型包装袋
５…  平袋
１０…  開口部
２０…  底面部
２１…  接着部
２２ａ，２２ｂ…  三角形状部
２２１…底辺部分
２５…  側面部
３０…  角筒部材
３１…  左側面部
３２…  右側面部
３３…  先端部
５１…  背貼り部
５２…  底貼り部
【図１】
2005320020.tif 000003
【図２】
2005320020.tif 000004
【図３】
2005320020.tif 000005
【図４】
2005320020.tif 000006
【図５】
2005320020.tif 000007
【図６】
2005320020.tif 000008
【図７】
2005320020.tif 000009
【図８】
2005320020.tif 000010
【図９】
2005320020.tif 000011
【図１０】
2005320020.tif 000012
【図１１】
2005320020.tif 000013